(57)【要約】【課題】  音響特性を調整するために各周波数バンドに設定される周波数特性が変更された場合でも、全周波数バンドにわたる周波数特性の設定状態を一目で把握することのできる音響機器を提供すること。【解決手段】  音響特性を調整するための周波数バンドが複数設定され、これら各周波数バンドにおける周波数特性の調整が可能な周波数特性設定手段と、周波数特性設定手段を介して設定された各周波数バンドにおける周波数特性を表示する表示手段とを備えた音響機器において、周波数特性設定手段を介して調整された周波数バンドと、他の周波数バンドを比較し、調整周波数バンドと他の周波数バンドとが周波数順になるように、これら周波数バンドの配列を変更する配列変更手段を備え、表示手段が、配列変更手段により配列変更された周波数バンド順に周波数特性を表示する。【選択図】  図１ 
2005260795.tif 000002
【特許請求の範囲】
【請求項１】
音響特性を調整するための周波数バンドが複数設定され、これら各周波数バンドにおけ
る周波数特性の調整が可能な周波数特性設定手段と、
該周波数特性設定手段を介して設定された各周波数バンドにおける周波数特性を表示す
る表示手段とを備えた音響機器において、
前記周波数特性設定手段を介して調整された周波数バンドと、他の周波数バンドを比較
し、前記調整周波数バンドと前記他の周波数バンドとが周波数順になるように、これら周
波数バンドの配列を変更する配列変更手段を備え、
前記表示手段が、前記配列変更手段により配列変更された周波数バンド順に周波数特性
を表示するものであることを特徴とする音響機器。
【請求項２】
前記表示手段が、所定画面への表示切換を検出した場合、前記配列変更された周波数バ
ンド順に周波数特性を表示するものであることを特徴とする請求項１記載の音響機器。
【請求項３】
前記配列変更手段により配列変更された周波数バンド順に周波数特性を表示するか否か
のユーザ設定を可能にする表示設定手段を備えていることを特徴とする請求項１又は請求
項２記載の音響機器。
【請求項４】
前記周波数特性設定手段を介して、ある周波数バンドの設定がオフされた場合、前記配
列変更手段が、残りの周波数バンドが周波数順になるように、これら周波数バンドの配列
を変更するものであり、
前記表示手段が、前記残りの周波数バンドの配列の先頭又は最後部に前記オフされた周
波数バンドを配置して周波数特性を表示するものであることを特徴とする請求項１〜３の
いずれかの項に記載の音響機器。
【請求項５】
音響特性を調整するための周波数バンドが複数設定され、これら各周波数バンドにおけ
る周波数特性の調整が可能な周波数特性設定手段を介して調整された音響特性の表示方法
において、
比較手段が、前記周波数特性設定手段を介して調整された周波数バンドと、他の周波数
バンドとを比較するステップと、
配列変更手段が、前記調整周波数バンドと前記他の周波数バンドとが周波数順になるよ
うに、これら周波数バンドの配列を変更するステップと、
該変更された配列を記憶手段に記憶させるステップと、
表示手段が、前記配列変更された周波数バンド順に周波数特性を表示させるステップと
含んでいることを特徴とする音響特性の表示方法。
【発明の詳細な説明】
【技術分野】
【０００１】
本発明は音響機器、及び音響特性の表示方法に関し、より詳細には音響特性を調整する
ための周波数バンドが複数設定され、これら周波数バンドにおける周波数特性が調整可能
な周波数特性設定手段を備えた音響機器、及び音響特性の表示方法に関する。
【背景技術】
【０００２】
カーオーディオやホームオーディオなどの音響機器には、オーディオ信号の周波数特性
を調整するためのイコライザ機能を備えたものがある。このようなイコライザ機能を有す
る装置としては、グラフィックイコライザや、パラメトリックイコライザなどが知られて
いる。
【０００３】
グラフィックイコライザは、入力されるオーディオ信号が予め固定されたいくつかの周
波数バンドごとに分割され、スライドボリュームスイッチ等の操作により各周波数バンド
ごとにレベル（利得）を増減させて、周波数特性の調整が行われるようになっている。
【０００４】
また、グラフィックイコライザでは、個別に設けられたスライドボリュームスイッチを
用いて、各周波数バンドのブースト／カットするレベルを個々に調整する方法の他に、各
周波数バンドに対応させた複数のスライドボリュームや、スライド溝を画面上にグラフィ
ック表示して、その画面上に設けられたタッチパネルを入力ペンや指でなぞらせて、なぞ
られた軌跡と各スライド溝との交点を、各周波数バンドのブースト／カットのレベルに設
定し、各周波数バンドのブースト／カットのレベルを一括調整することのできる技術が下
記の特許文献１に開示されている。
【０００５】
一方、パラメトリックイコライザでは、各周波数バンドに設定される周波数特性、すな
わち調整ポイントとなる周波数、Ｑ値（鋭度）、利得（ゲイン）がいずれも固定されてお
らず、ユーザーがそれぞれ調整できるように構成されており、上記グラフィックイコライ
ザと比べて、可変要素が多く、微妙な調整が行えるため、細かな音づくりが可能となって
いる。
【０００６】
次に従来の音響機器におけるパラメトリックイコライザ設定画面の表示形態について説
明する。図１２は、従来のパラメトリックイコライザ設定画面の表示例を示した図であり
、（ａ）は周波数特性調整前の状態、（ｂ）は周波数特性調整後の状態を示している。な
お、この場合、周波数バンドが５バンド（Ｂａｎｄ１〜５）で構成されており、周波数特
性調整前は、図１２（ａ）に示したように各周波数バンド毎にそれぞれ表示されている周
波数特性が予め設定されているものとする。
【０００７】
図１２（ａ）に示した状態から、ユーザーが、Ｂａｎｄ１に１．５ｋＨｚ、Ｂａｎｄ２
に５００Ｈｚ、Ｂａｎｄ３に２ｋＨｚをそれぞれ別の設定画面（図示せず）を介して順に
設定し、再度設定画面に戻ると、図１２（ｂ）に示した画面が表示される。図１２（ｂ）
に示すように、従来のパラメトリックイコライザ設定画面の表示形態では、調整後の周波
数特性が設定順に表示されるだけなので、調整ポイントとなる周波数特性がばらばらに表
示され、全周波数バンドの周波数特性の設定状態が非常に把握しずらいという課題があっ
た。
【特許文献１】特開平１１−１１２２５４号公報
【発明の開示】
【課題を解決するための手段及びその効果】
【０００８】
本発明は上記課題に鑑みなされたものであって、音響特性を調整するために各周波数バ
ンドに設定される周波数特性が変更された場合でも、全周波数バンドにわたる周波数特性
の設定状態を一目で把握することができ、周波数特性の設定を容易に行うことのできる音
響機器、及び音響特性の表示方法を提供することを目的としている。
【０００９】
上記目的を達成するために本発明に係る音響機器（１）は、音響特性を調整するための
周波数バンドが複数設定され、これら各周波数バンドにおける周波数特性の調整が可能な
周波数特性設定手段と、該周波数特性設定手段を介して設定された各周波数バンドにおけ
る周波数特性を表示する表示手段とを備えた音響機器において、前記周波数特性設定手段
を介して調整された周波数バンドと、他の周波数バンドを比較し、前記調整周波数バンド
と前記他の周波数バンドとが周波数順になるように、これら周波数バンドの配列を変更す
る配列変更手段を備え、前記表示手段が、前記配列変更手段により配列変更された周波数
バンド順に周波数特性を表示するものであることを特徴としている。
【００１０】
上記音響機器（１）によれば、前記周波数特性設定手段を介して調整された周波数バン
ドと、他の周波数バンドとが比較され、前記調整周波数バンドと前記他の周波数バンドと
が周波数順になるように、これら周波数バンドの配列が変更され、該配列変更された周波
数バンド順に周波数特性が表示されるので、ユーザーは、全周波数バンドにわたる周波数
特性の設定状態を一目で把握することができ、前記周波数特性設定手段を介した周波数特
性の調整を容易に行うことが可能となる。
【００１１】
また本発明に係る音響機器（２）は、上記音響機器（１）において、前記表示手段が、
所定画面への表示切換を検出した場合、前記配列変更された周波数バンド順に周波数特性
を表示するものであることを特徴としている。
【００１２】
上記音響機器（２）によれば、所定画面への表示切換が検出された場合、前記配列変更
された周波数バンド順に周波数特性が表示されるので、前記所定画面が表示された場合に
、ユーザーは、全周波数バンドにわたる周波数特性の設定状態を一目で把握することがで
きる。
【００１３】
また本発明に係る音響機器（３）は、上記音響機器（１）又は（２）において、前記配
列変更手段により配列変更された周波数バンド順に周波数特性を表示するか否かのユーザ
設定を可能にする表示設定手段を備えていることを特徴としている。
【００１４】
上記音響機器（３）によれば、前記配列変更された周波数バンド順に周波数特性を表示
するか否かのユーザ設定が可能となり、ユーザーの希望に応じて前記配列変更された周波
数バンド順に周波数特性を表示させることができる。
【００１５】
また本発明に係る音響機器（４）は、上記音響機器（１）〜（３）のいずれかにおいて
、前記周波数特性設定手段を介して、ある周波数バンドの設定がオフされた場合、前記配
列変更手段が、残りの周波数バンドが周波数順になるように、これら周波数バンドの配列
を変更するものであり、前記表示手段が、前記残りの周波数バンドの配列の先頭又は最後
部に前記オフされた周波数バンドを配置して周波数特性を表示するものであることを特徴
としている。
【００１６】
上記音響機器（４）によれば、前記周波数特性設定手段を介して、ある周波数バンドの
設定がオフされた場合、前記配列変更手段により、残りの周波数バンドが周波数順になる
ように、これら周波数バンドの配列が変更され、前記表示手段により、前記残りの周波数
バンドの配列の先頭又は最後部に前記オフされた周波数バンドを配置して周波数特性が表
示されるので、前記残りの周波数バンドの周波数特性を周波数順に一目で把握しやすく表
示させることができる。
【００１７】
また本発明に係る音響特性の表示方法は、音響特性を調整するための周波数バンドが複
数設定され、これら各周波数バンドにおける周波数特性の調整が可能な周波数特性設定手
段を介して調整された音響特性の表示方法において、比較手段が、前記周波数特性設定手
段を介して調整された周波数バンドと、他の周波数バンドとを比較するステップと、配列
変更手段が、前記調整周波数バンドと前記他の周波数バンドとが周波数順になるように、
これら周波数バンドの配列を変更するステップと、該変更された配列を記憶手段に記憶さ
せるステップと、表示手段が、前記配列変更された周波数バンド順に周波数特性を表示さ
せるステップと含んでいることを特徴としている。
【００１８】
上記音響特性の表示方法によれば、前記周波数特性設定手段を介して調整された周波数
バンドと、他の周波数バンドとを比較し、前記調整周波数バンドと前記他の周波数バンド
とが周波数順になるように、これら周波数バンドの配列を変更し、該変更された配列が記
憶手段に記憶され、該配列変更された周波数バンド順に周波数特性が表示されるので、ユ
ーザーは、全周波数バンドにわたる周波数特性の設定状態を一目で把握することができ、
前記周波数特性設定手段を介した各周波数バンドの周波数特性の調整を容易に行うことが
可能となる。
【発明を実施するための最良の形態】
【００１９】
以下、本発明に係る音響機器、及び音響特性の表示方法の実施の形態を図面に基づいて
説明する。図１は、実施の形態（１）に係る音響機器の要部を概略的に示したブロック図
である。
図中１０は、音響機器を示しており、音響機器１０は、オーディオ再生部１１、イコラ
イザ処理部１２、制御部１３、表示部１４、及び操作部１５を含んで構成されている。
【００２０】
オーディオ再生部１１は、ＣＤデッキ、ＭＤデッキ、ＤＶＤデッキ、カセットデッキ、
ラジオ受信機、ＴＶ受信機など（いずれも図示せず）を含んで構成されており、制御部１
３からの制御信号に基づいて、ＣＤやＭＤなどから読み取られた、または受信処理された
左（Ｌ）チャンネル及び右（Ｒ）チャンネルの再生信号がイコライザ処理部１２へ出力さ
れるようになっている。
【００２１】
イコライザ処理部１２は、後述するパラメトリックイコライザ設定画面を介してユーザ
ーにより設定された周波数特性、すなわち調整ポイントとなる周波数、Ｑ値、ゲインに基
づいて、再生信号をブースト／カットし、Ｌ及びＲチャンネルの再生信号の音響特性を変
化させる、いわゆる、パラメトリックイコライザから構成されている。これら調整ポイン
トに設定された各周波数におけるブースト／カットのレベル制御は制御部１３から供給さ
れる制御信号に基づいて行われるようになっている。
【００２２】
なお、オーディオ再生部１１から供給されるＬ及びＲチャンネルの再生信号がディジタ
ル信号である場合には、イコライザ処理部１２をＤＳＰ（Digital Signal Processor）で
構成することもでき、ＤＳＰは、制御部１３から供給される制御信号に基づいて演算され
た、各周波数バンドに設定された周波数特性に対応するフィルタ係数により制御されるよ
うになっている。
【００２３】
イコライザ処理部１２で周波数特性が調整されたＬ及びＲチャンネルの再生信号は、そ
れぞれＬチャンネル用アンプ１６Ｌ、及びＰチャンネル用アンプ１６Ｒに供給され、アン
プ１６Ｌ、１６ＲでＬ及びＲチャンネルの再生信号が増幅され、スピーカ１７Ｌ、１７Ｒ
をそれぞれ駆動させて、周波数特性が調整された音声が出力されるようになっている。
【００２４】
制御部１３は、オーディオ再生部１１やイコライザ処理部１２の制御や、イコライザ処
理のための各種設定画面等を表示部１４の液晶ディスプレイ（図示せず）に表示させる処
理などを行うものであり、ＣＰＵ、ＲＡＭ、ＲＯＭ（いずれも図示せず）を含んで構成さ
れている。前記ＲＯＭには、イコライザ処理部１２を制御するための各種データや各種設
定画面を表示させるための画像データなど、音響機器１０の各部を制御するために必要な
データやプログラムが記憶されるようになっている。前記ＲＡＭには、各種設定画面を介
して入力されたデータなど、各種制御に必要なデータが記憶されるようになっている。
【００２５】
表示部１４は、制御部１３からの制御信号に基づいて、オーディオ再生部１１から出力
された映像信号、テキスト信号などを表示させたり、各種設定画面を表示させたりするも
のであり、表示制御部、液晶ディスプレイ（いずれも図示せず）等を含んで構成されてい
る。
【００２６】
操作部１５は、表示部１４に設けられたボタンスイッチやタッチパネル（いずれも図示
せず）を含んで構成されており、ボタンスイッチやタッチパネルからの入力信号を取り込
んで、該入力信号に応じた処理が制御部１３で行われるようになっており、ユーザーは、
ボタンスイッチやタッチパネルを操作することにより音響機器１０に所望の動作を行わせ
ることが可能になっている。また、音響機器１０では、表示部１４を構成する表示画面を
介して、イコライザ処理部１２の各種設定が行えるようになっており、設定された情報は
、制御部１３内のＲＡＭに記憶されるようになっている。
【００２７】
次に、実施の形態（１）に係る音響機器１０におけるパラメトリックイコライザ設定画
面（以下、イコライザ設定画面と記す）の表示形態について、図２、３に示した画面表示
例に基づいて説明する。
【００２８】
まず、イコライザ設定画面を表示させる操作が検出されると、図２に示すイコライザ設
定画面が表示される。この画面を介して、ユーザーは、各周波数バンド（この図ではＢＡ
ＮＤ１）に設定する周波数特性、すなわち調整ポイントとなる周波数（Frequency ）、Ｑ
値、Ｇａｉｎ（利得）を「−」ボタンや「＋」ボタンを操作することにより任意の値に調
整することができるようになっており、画面右下の「次」ボタンを操作することにより周
波数バンドが順に（ＢＡＮＤ２、３、…というように）切り替えられるようになっている
。また、画面右上の「完了」ボタンを操作することによりイコライザ設定画面が他の画面
に切り替えられるようになっている。また、画面上半分には、現在の各周波数バンドに設
定されている周波数や、Ｑ値、ゲインのレベルが波形イメージで表示される領域Ａが設け
られており、各周波数バンド（この場合ＢＡＮＤ１〜５）に設定されている周波数特性が
把握できるようになっている。
【００２９】
図２の画面を介して、ＢＡＮＤ１の設定周波数を、現在の１００Ｈｚから２ｋＨｚに変
更して、「次」ボタンが入力されると、図３に示したＢＡＮＤ２の設定画面が表示される
。ＢＡＮＤ２の設定画面では、領域Ａにおいて、２ｋＨｚに変更されたＢＡＮＤ１の周波
数特性が、ＢＡＮＤ４（１ｋＨｚ）とＢＡＮＤ５（５ｋＨｚ）との間に並び替えられ、各
周波数バンドが周波数順に配列されて表示されるようになっている。
また、ＢＡＮＤ２、３、…の各設定画面において、周波数の調整が行われると、同様に
各周波数バンドが周波数順に配列されて領域Ａに表示されるようになっている。
【００３０】
次に実施の形態（１）に係る音響機器１０における制御部１３の行う処理動作を図４に
示したフロ−チャ−トに基づいて説明する。
まず、ステップＳ１では、イコライザ設定画面の表示操作があったか否かを判断し、表
示操作がなかったと判断すればステップＳ１に戻る一方、表示操作があったと判断すれば
ステップＳ２に進む。ステップＳ２では、イコライザ設定画面（周波数バンド「ＢＡＮＤ
１」の調整画面）（図２）を表示させる処理を行い、その後ステップＳ３に進む。
【００３１】
ステップＳ３では、「次」ボタンの入力操作があったか否かを判断し、「次」ボタンの
入力操作があったと判断すればステップＳ４に進む。ステップＳ４では、周波数特性が調
整されたか否かを判断し、周波数特性が調整されたと判断すればステップＳ５に進む。ス
テップＳ５では、調整された周波数バンドと他の周波数バンドとの比較処理、たとえば、
調整された周波数バンドと他の周波数バンドとの周波数を順（周波数バンドの小さな方又
は大きな方から順）に比較し、調整された周波数バンドの周波数の方が小さい又は大きい
と判断されるまで繰り返し比較する処理を行い、その後ステップＳ６に進む。
【００３２】
ステップＳ６では、周波数順に基づいた周波数バンドの配列処理、すなわち、比較処理
の結果に基づいて、周波数順に周波数バンドを並び替える処理を行い、その後ステップＳ
７に進む。なお、この時、変更された周波数バンドの配列情報は、制御部１３内のＲＡＭ
に更新記憶されるようになっている。
【００３３】
ステップＳ７では、次の周波数バンドの調整画面（図３）を表示させる処理を行う。こ
の際、領域Ａに表示される各周波数バンドの設定情報が、上記配列処理の結果に基づいて
周波数順に表示されるようになっており、その後ステップＳ３に戻る。一方、ステップＳ
４において、周波数特性の調整がなかったと判断すればステップＳ７に進み、次の周波数
バンドの設定画面を表示させる処理（なお、この場合、領域Ａに表示される周波数バンド
の並び替えはない）を行う。
【００３４】
また、一方ステップＳ３において、「次」ボタンの入力操作がなかったと判断すればス
テップＳ８に進む。ステップＳ８では、「完了」ボタンの入力操作があったか否かを判断
し、「完了」ボタンの入力操作がなかったと判断すればステップＳ３に戻る一方、「完了
」ボタンの入力操作があったと判断すればステップＳ９に進む。
【００３５】
ステップＳ９では、周波数特性の調整があったか否かを判断し、周波数特性の調整がな
かったと判断すれば処理を終了する一方、周波数特性の調整があったと判断すればステッ
プＳ１０に進む。ステップＳ１０では、調整された周波数バンドと他の周波数バンドとの
比較処理（ステップＳ５と同様の処理）を行い、その後ステップＳ１１に進む。ステップ
Ｓ１１では、周波数順に基づいた周波数バンドの配列処理（ステップＳ６と同様の処理）
を行い、その後処理を終了する。
【００３６】
上記実施の形態（１）に係る音響機器１０によれば、イコライザ設定画面を介して調整
された周波数バンドと他の周波数バンドとが比較され、調整周波数バンドと他の周波数バ
ンドとが周波数順になるように、これら周波数バンドの配列が変更され、該配列変更され
た周波数バンド順に周波数特性が領域Ａに表示されるので、ユーザーは、全周波数バンド
にわたる周波数特性の設定状態を一目で把握することができ、イコライザ設定画面を介し
た周波数特性の調整を容易に行うことが可能となる。
【００３７】
次に実施の形態（２）に係る音響機器について説明する。但し、実施の形態（２）に係
る音響機器については、制御部１３を除いて、図１に示した音響機器１０の構成と略同様
であるので、異なる機能を有する制御部には異なる符号を付し、その他の構成部品の説明
をここでは省略する。
【００３８】
実施の形態（２）に係る音響機器１０Ａと実施の形態（１）に係る音響機器１０とが相
違する点は、パラメトリックイコライザ設定画面の表示形態にあり、以下相違点のみ説明
する。
【００３９】
図５〜図１０は、実施の形態（２）に係る音響機器１０Ａにおけるパラメトリックイコ
ライザ設定画面の表示例を示している。まず、イコライザ設定画面を表示させる操作が検
出されると、図５に示すイコライザ設定画面が表示される。ユーザーは、この画面を介し
て、全周波数バンド（この場合、ＢＡＮＤ１〜５の５バンドで構成されている）に設定さ
れた周波数特性、すなわち調整ポイントとなる周波数、Ｑ値、ゲインの波形イメージを把
握することができるとともに、調整する周波数バンドを選択することができるようになっ
ている。
【００４０】
図５に示した画面において、画面左下の「ＢＡＮＤ１」ボタンが操作されると、図６に
示したＢＡＮＤ１の調整画面が表示される。ユーザーは、この画面を介して、周波数バン
ド「ＢＡＮＤ１」に設定する周波数（Frequency ）、Ｑ値、Ｇａｉｎを「−」ボタンや「
＋」ボタンを操作することにより任意の値に調整することができるようになっている。
【００４１】
図６に示したように周波数を現在の１００Ｈｚから２ｋＨｚに変更した後、画面右下の
「完了」ボタンが操作されると、配列変更された周波数バンド順に周波数特性を表示する
か否かのユーザ設定を可能にした配列変更確認画面（図７）が表示される。
【００４２】
図７に示した配列変更確認画面において、「はい」ボタンが操作されると図８に示した
イコライザ設定画面が表示される。図８に示した設定画面と、図５に示した設定画面とを
比較すると、調整ポイントとなる周波数が１００Ｈｚから２ｋＨｚに変更されたＢＡＮＤ
１が、図５におけるＢＡＮＤ４とＢＡＮＤ５との間に配置されて、全周波数バンドが周波
数順に配列されるとともに、各周波数バンドの配列番号も更新されて表示されるようにな
っている。
【００４３】
一方、図７に示した配列変更確認画面において、「いいえ」ボタンが操作されると図１
２（ｂ）に示したような周波数順に並び替えない設定画面が表示されるようになっている
。以下同様に、「ＢＡＮＤ１」〜「ＢＡＮＤ５」のボタンが操作されると上記表示切替が
行われるようになっている。
【００４４】
また、各周波数バンドの調整画面において、図９に示すように設定する周波数がオフ設
定され、「完了」ボタンが操作されると、図１０に示したイコライザ設定画面が表示され
る。この設定画面では、オフ設定されたＢＡＮＤ１が、最後部のＢＡＮＤ５の位置に配置
され、残りの４バンドが、ＢＡＮＤ１〜４の位置に周波数順に並び替えられて表示される
ようになっている。なお、オフ設定されたバンドをＢＡＮＤ５に配置する代わりに先頭の
ＢＡＮＤ１の位置に配置してもよい。
【００４５】
次に実施の形態（２）に係る音響機器１０Ａにおける制御部１３Ａの行う処理動作を図
１１に示したフロ−チャ−トに基づいて説明する。
まず、ステップＳ２１では、イコライザ設定画面の表示操作があったか否かを判断し、
表示操作がなかったと判断すればステップＳ２１に戻る一方、表示操作があったと判断す
ればステップＳ２２に進む。ステップＳ２２では、イコライザ設定画面（全周波数バンド
表示・選択画面）（図５）を表示させる処理を行い、その後ステップＳ２３に進む。
【００４６】
ステップＳ２３では、調整する周波数バンドの選択操作があったか否かを判断し、周波
数バンドの選択操作がなかったと判断すれば処理を終了する一方、周波数バンドの選択操
作があったと判断すればステップＳ２４に進む。
【００４７】
ステップＳ２４では、選択された周波数バンドの調整画面（図６）を表示させる処理を
行い、その後ステップＳ２５に進む。ステップＳ２５では、「完了」ボタンの入力操作が
あったか否かを判断し、「完了」ボタンの入力操作がなかったと判断すればステップＳ２
５に戻る一方、「完了」ボタンの入力操作があったと判断すればステップＳ２６に進む。
ステップＳ２６では、周波数特性が調整されたか否かを判断し、周波数特性が調整されて
いないと判断すればステップＳ３１に進む一方、周波数特性が調整されたと判断すればス
テップＳ２７に進む。
【００４８】
ステップＳ２７では、周波数バンドを周波数順に並び替えるか否かをユーザーに確認す
る配列変更確認画面（図７）を表示させる処理を行い、その後ステップＳ２８に進む。ス
テップＳ２８では、「はい」ボタンの入力操作があったか否かを判断し、「はい」ボタン
の入力操作があったと判断すればステップＳ２９に進む。                            
【００４９】
ステップＳ２９では、調整された周波数バンドと他の周波数バンドとの比較処理を行い
、その後ステップＳ３０に進む。ステップＳ３０では、周波数順に基づいた周波数バンド
の配列処理、すなわち、上記比較処理の結果に基づいて、周波数順に周波数バンドを並び
替える処理を行い、その後ステップＳ３１に進む。なお、この時、変更された周波数バン
ドの配列情報は、制御部１３Ａ内のＲＡＭに更新記憶されるようになっている。
【００５０】
ステップＳ３１では、全周波数バンドの表示・選択画面（図８）を表示させる処理を行
う。この際、表示される周波数特性が、配列処理に基づいて周波数順に表示されるように
なっており、その後ステップＳ２３に戻る。
【００５１】
一方、ステップＳ２８において、配列変更確認画面（図７）で「はい」ボタンの入力操
作がなかった、すなわち「いいえ」ボタンの入力操作があったと判断すれば、ステップＳ
３２に進み、ステップＳ３２では、周波数バンドを周波数順に並べ替えずに、全周波数バ
ンドの表示・選択画面を表示させる処理を行い、その後ステップＳ２３に戻る。
【００５２】
上記実施の形態（２）に係る音響機器１０Ａによれば、各周波数バンドの周波数特性設
定画面（図６）から全周波数バンドの表示・選択画面（図８）へ切り替えられた場合に、
調整された周波数バンドと他の周波数バンドとが比較され、調整周波数バンドと他の周波
数バンドとが周波数順になるように、これら周波数バンドの配列が変更され、該配列変更
された周波数バンド順に周波数特性が表示されるので、全周波数バンドの表示・選択画面
が表示された場合に、ユーザーは、全周波数バンドにわたる周波数特性の設定状態を一目
で把握することができ、周波数特性設定画面を介した周波数特性の調整を容易に行うこと
が可能となる。
【００５３】
また、図７に示した配列変更確認画面が表示されるので、ユーザーの希望に応じて前記
配列変更された周波数バンド順に周波数特性を表示させるか否かを設定することができ、
設定の自由度を高めることができる。
【００５４】
また、図９に示したように各周波数バンドの設定画面を介して、ある周波数バンドの設
定がオフされた場合、残りの周波数バンドが周波数順になるように、これら周波数バンド
の配列が変更され、前記オフされた周波数バンドを残りの周波数バンドで配列変更された
順の先頭又は最後部に配置して周波数特性が表示されるので、ある周波数バンドの設定が
オフされた場合でも、残りの周波数バンドを周波数順に一目で把握することができる。
【００５５】
なお上記実施の形態（１）、（２）に係る音響機器では、パラメトリックイコライザの
調整ポイントを設ける周波数バンドが５バンドから構成されている場合について説明した
が、周波数バンドの数は、音響機器の性能に合わせて適宜設定することができ、周波数バ
ンドの数が多い場合でも、ユーザーは、全周波数バンドに設定されている周波数特性を一
目で把握することができる。                                                      
【００５６】
また上記実施の形態（１）、（２）に係る音響機器は、カーオーディオシステムや、ホ
ームオーディオシステムの他に、音楽等の再生機能を有するパーソナルコンピュータや電
子楽器などにも適用することができる。
【図面の簡単な説明】
【００５７】
【図１】本発明の実施の形態（１）に係る音響機器の要部を概略的に示したブロック図である。
【図２】パラメトリックイコライザ設定画面（ＢＡＮＤ１の調整画面）の表示例を示す図である。
【図３】パラメトリックイコライザ設定画面（ＢＡＮＤ２の設定画面に切り替えられた場合）の表示例を示す図である。
【図４】実施の形態（１）に係る音響機器における制御部の行う処理動作を示したフローチャートである。
【図５】パラメトリックイコライザ設定画面（全周波数バンドの表示・選択画面）の表示例を示す図である。
【図６】パラメトリックイコライザ設定画面（ＢＡＮＤ１の調整画面）の表示例を示す図である。
【図７】パラメトリックイコライザ設定画面（配列変更確認画面）の表示例を示す図である。
【図８】パラメトリックイコライザ設定画面（調整後の全周波数バンドの表示・選択画面）の表示例を示す図である。
【図９】パラメトリックイコライザ設定画面（ＢＡＮＤ１の調整画面）の別の表示例を示す図である。
【図１０】パラメトリックイコライザ設定画面（調整後の全周波数バンドの表示・選択画面）の別の表示例を示す図である。
【図１１】実施の形態（２）に係る音響機器における制御部の行う処理動作を示したフローチャートである。
【図１２】従来のパラメトリックイコライザ設定画面の表示例を示した図であり、（ａ）は周波数調整前の状態、（ｂ）は周波数調整後の状態を示した図である。
【符号の説明】
【００５８】
１０、１０Ａ  音響機器
１１  オーディオ再生部
１２  イコライザ処理部
１３、１３Ａ  制御部
１４  表示部
１５  操作部
【図１】
2005260795.tif 000003
【図２】
2005260795.tif 000004
【図３】
2005260795.tif 000005
【図４】
2005260795.tif 000006
【図５】
2005260795.tif 000007
【図６】
2005260795.tif 000008
【図７】
2005260795.tif 000009
【図８】
2005260795.tif 000010
【図９】
2005260795.tif 000011
【図１０】
2005260795.tif 000012
【図１１】
2005260795.tif 000013
【図１２】
2005260795.tif 000014